【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
無線端末装置が移動動作を行なうことにより複数の無線基地局装置と通信可能な通信システムにおいて、無線端末装置との間で無線信号を送受信するための無線基地局装置であって、
自己の無線基地局装置の形成するセルに在圏する無線端末装置における前記無線信号の受信電力の、前記無線端末装置の位置変化に対する変化度合いを示す端末電力情報を取得するための端末電力情報取得部と、
前記端末電力情報取得部によって取得された前記端末電力情報に基づいて、自己の無線基地局装置から他の無線基地局装置への無線端末装置の移動動作のタイミングを制御するための移動動作制御部とを備える、無線基地局装置。
【請求項２】
前記移動動作制御部は、前記端末電力情報が示す前記変化度合いが大きい場合には、前記移動動作のタイミングが早まるように制御し、前記変化度合いが小さい場合には、前記移動動作のタイミングが遅くなるように制御する、請求項１に記載の無線基地局装置。
【請求項３】
前記移動動作制御部は、前記端末電力情報が示す前記変化度合いが大きい場合には、前記移動動作のタイミング制御幅を大きく設定し、前記変化度合いが小さい場合には、前記移動動作のタイミング制御幅を小さく設定する、請求項１または請求項２に記載の無線基地局装置。
【請求項４】
前記端末電力情報取得部は、無線端末装置において、自己の無線基地局装置が送信する無線信号の受信品質を示す指標が所定値以下となる状態、または前記他の無線基地局装置が送信する無線信号の受信電力が所定値以上となる状態における前記変化度合いを示す端末電力情報を取得する、請求項１から請求項３のいずれか１項に記載の無線基地局装置。
【請求項５】
前記無線基地局装置は、さらに、
自己の無線基地局装置と前記他の無線基地局装置との距離に基づいて前記変化度合いを推定するための端末電力推定部を備え、
前記端末電力情報取得部は、前記端末電力推定部によって推定された前記変化度合いを前記端末電力情報として取得する、請求項１から請求項４のいずれか１項に記載の無線基地局装置。
【請求項６】
前記無線基地局装置は、さらに、
前記他の無線基地局装置が送信する無線信号の送信電力と、前記他の無線基地局装置が送信する無線信号の、自己の無線基地局装置の形成するセルにおける受信電力との差に基づいて、自己の無線基地局装置と前記他の無線基地局装置との距離を推定するための基地局間距離推定部を備え、
前記端末電力推定部は、前記基地局間距離推定部によって推定された前記距離に基づいて前記変化度合いを推定する、請求項５に記載の無線基地局装置。
【請求項７】
前記無線基地局装置は、さらに、
自己の無線基地局装置から送信される無線信号の送信電力と前記他の無線基地局装置から送信される無線信号の送信電力との差に基づいて前記変化度合いを推定するための端末電力推定部を備え、
前記端末電力情報取得部は、前記端末電力推定部によって推定された前記変化度合いを前記端末電力情報として取得する、請求項１から請求項４のいずれか１項に記載の無線基地局装置。
【請求項８】
前記無線基地局装置は、さらに、
自己の無線基地局装置の形成するセルに在圏する無線端末装置の移動速度に基づいて前記変化度合いを推定するための端末電力推定部を備え、
前記端末電力情報取得部は、前記端末電力推定部によって推定された前記変化度合いを前記端末電力情報として取得する、請求項１から請求項４のいずれか１項に記載の無線基地局装置。
【請求項９】
前記無線基地局装置は、さらに、
前記他の無線基地局装置が送信する無線信号の送信電力と、前記他の無線基地局装置が送信する無線信号の、自己の無線基地局装置の形成するセルにおける受信電力との差の時間的な変化に基づいて前記変化度合いを推定するための端末電力推定部を備え、
前記端末電力情報取得部は、前記端末電力推定部によって推定された前記変化度合いを前記端末電力情報として取得する、請求項１から請求項４のいずれか１項に記載の無線基地局装置。
【請求項１０】
前記無線基地局装置は、さらに、
自己の無線基地局装置の形成するセルに在圏する無線端末装置が送信する無線信号の送信電力と、自己の無線基地局装置における前記無線信号の受信電力との差の時間的な変化に基づいて前記変化度合いを推定するための端末電力推定部を備え、
前記端末電力情報取得部は、前記端末電力推定部によって推定された前記変化度合いを前記端末電力情報として取得する、請求項１から請求項４のいずれか１項に記載の無線基地局装置。
【請求項１１】
前記無線基地局装置は、さらに、
自己の無線基地局装置の形成するセルに在圏する無線端末装置が送信する無線信号の周波数と、自己の無線基地局装置が受信した前記無線信号の周波数との差に基づいて前記変化度合いを推定するための端末電力推定部を備え、
前記端末電力情報取得部は、前記端末電力推定部によって推定された前記変化度合いを前記端末電力情報として取得する、請求項１から請求項４のいずれか１項に記載の無線基地局装置。
【請求項１２】
前記無線基地局装置は、さらに、
無線端末装置における無線信号の受信電力の時間的な変化に基づいて前記変化度合いを推定するための端末電力推定部を備え、
前記端末電力情報取得部は、前記端末電力推定部によって推定された前記変化度合いを前記端末電力情報として取得する、請求項１から請求項４のいずれか１項に記載の無線基地局装置。
【請求項１３】
前記端末電力推定部は、自己の無線基地局装置の形成するセルに在圏する無線端末装置における無線信号の受信電力の測定結果に基づいて前記受信電力の時間的な変化を取得する、請求項１２に記載の無線基地局装置。
【請求項１４】
前記端末電力推定部は、自己の無線基地局装置の形成するセルに在圏する複数の無線端末装置のうち、移動速度の大きい前記無線端末装置の前記受信電力の時間的な変化に基づいて前記変化度合いを推定する、請求項１２または請求項１３に記載の無線基地局装置。
【請求項１５】
無線端末装置が移動動作を行なうことにより複数の無線基地局装置と通信可能な通信システムにおいて、無線端末装置との間で無線信号を送受信するための無線基地局装置であって、
自己の無線基地局装置と他の無線基地局装置との距離、自己の無線基地局装置および他の無線基地局装置から送信される無線信号の送信電力の差、自己の無線基地局装置の形成するセルに在圏する無線端末装置の移動速度、他の無線基地局装置が送信する無線信号の送信電力と、前記他の無線基地局装置が送信する無線信号の、自己の無線基地局装置の形成するセルにおける受信電力との差の時間的な変化、自己の無線基地局装置の形成するセルに在圏する無線端末装置が送信する無線信号の送信電力と、自己の無線基地局装置における前記無線信号の受信電力との差の時間的な変化、自己の無線基地局装置の形成するセルに在圏する無線端末装置が送信する無線信号の周波数と、自己の無線基地局装置が受信した前記無線信号の周波数との差、ならびに無線端末装置における無線信号の受信電力の時間的な変化のうち、少なくともいずれか１つの情報を取得するための情報取得部と、
前記情報取得部によって取得された前記情報に基づいて、自己の無線基地局装置から前記他の無線基地局装置への無線端末装置の移動動作のタイミングを制御するための移動動作制御部とを備える、無線基地局装置。
【請求項１６】
無線端末装置がハンドオーバ動作を行なうことにより複数の無線基地局装置と通信可能な通信システムにおける無線基地局装置であって、
前記無線端末装置との間で無線信号を送受信する無線送受信部と、
自己の無線基地局装置から他の無線基地局装置への無線端末装置のハンドオーバ動作のタイミングを制御し、”Ｔｏｏ  Ｌａｔｅ  ＨＯ（Handover）”が発生したと判断した場合に、前記ハンドオーバ動作が早まるように制御し、”Ｔｏｏ  Ｅａｒｌｙ  ＨＯ”が発生したと判断した場合に、前記ハンドオーバ動作が遅くなるように制御するハンドオーバ制御部とを備える、無線基地局装置。
【請求項１７】
無線端末装置が移動動作を行なうことにより複数の無線基地局装置と通信可能な通信システムにおいて、無線端末装置との間で無線信号を送受信するための無線基地局装置における通信制御方法であって、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップとを含む、通信制御方法。
【請求項１８】
無線端末装置が移動動作を行なうことにより複数の無線基地局装置と通信可能な通信システムにおいて、無線端末装置との間で無線信号を送受信するための無線基地局装置における通信制御プログラムであって、コンピュータに、
自己の無線基地局装置の形成するセルに在圏する無線端末装置における前記無線信号の受信電力の、前記無線端末装置の位置変化に対する変化度合いを示す端末電力情報を取得するステップと、
取得した前記端末電力情報に基づいて、自己の無線基地局装置から他の無線基地局装置への無線端末装置の移動動作のタイミングを制御するステップとを実行させるための、通信制御プログラム。